(57)【要約】【課題】情報を記憶し流通や在庫管理、盗難防止に機能する非接触ＩＣタグ付き無線綴じ本とその製造方法を提供する。【解決手段】本発明の非接触ＩＣタグ付き無線綴じ本１は、添付される本の当該本に関する情報を記憶し、所定周波数の電波により外部リーダライタと交信する非接触ＩＣタグ付き無線綴じ本において、当該非接触ＩＣタグが、▲１▼表紙、▲２▼表紙と背表紙、▲３▼表紙と背表紙と裏表紙、▲４▼背表紙と裏表紙、▲５▼裏表紙、のいずれかの部分の内面側に保持または形成されており、さらに外部から視認できないように、表紙または裏表紙の内面と見返し６間を貼着したことを特徴とする。非接触ＩＣタグ２は、ラベル状非接触ＩＣタグを貼着するものでも、アンテナパターンにＩＣチップ実装ラベルを装着するものでも、いずれでもよい。【選択図】    図１
2004249492.tif 000002
【特許請求の範囲】
【請求項１】
添付される本の当該本に関する情報を記憶し、所定周波数の電波により外部リーダライタと交信する非接触ＩＣタグ付き無線綴じ本において、当該非接触ＩＣタグが表紙の内面側に保持または形成されており、さらに外部から視認できないように、表紙の内面と見返し間を貼着したことを特徴とする非接触ＩＣタグ付き無線綴じ本。
【請求項２】
添付される本の当該本に関する情報を記憶し、所定周波数の電波により外部リーダライタと交信する非接触ＩＣタグ付き無線綴じ本において、当該非接触ＩＣタグが表紙と背表紙にわたる部分の内面側に保持または形成されており、さらに外部から視認できないように、表紙の内面側と見返し間を貼着したことを特徴とする非接触ＩＣタグ付き無線綴じ本。
【請求項３】
添付される本の当該本に関する情報を記憶し、所定周波数の電波により外部リーダライタと交信する非接触ＩＣタグ付き無線綴じ本において、当該非接触ＩＣタグが表紙と背表紙と裏表紙にわたる部分の内面側に保持または形成されており、さらに外部から視認できないように、表紙と裏表紙の内面側と見返し間を貼着したことを特徴とする非接触ＩＣタグ付き無線綴じ本。
【請求項４】
添付される本の当該本に関する情報を記憶し、所定周波数の電波により外部リーダライタと交信する非接触ＩＣタグ付き無線綴じ本において、当該非接触ＩＣタグが背表紙と裏表紙にわたる部分の内面側に保持または形成されており、さらに外部から視認できないように、裏表紙の内面側と見返し間を貼着したことを特徴とする非接触ＩＣタグ付き無線綴じ本。
【請求項５】
添付される本の当該本に関する情報を記憶し、所定周波数の電波により外部リーダライタと交信する非接触ＩＣタグ付き無線綴じ本において、当該非接触ＩＣタグが裏表紙の内面側に保持または形成されており、さらに外部から視認できないように、裏表紙の内面と見返し間を貼着したことを特徴とする非接触ＩＣタグ付き無線綴じ本。
【請求項６】
保持する非接触ＩＣタグが基材に形成したコイル状アンテナにＩＣチップを装着したものであることを特徴とする請求項１から請求項５のいずれか１の請求項に記載の非接触ＩＣタグ付き無線綴じ本。
【請求項７】
保持する非接触ＩＣタグが基材に形成した非ループ状アンテナパターンにＩＣチップ実装ラベルを装着したものであることを特徴とする請求項１から請求項５のいずれか１の請求項に記載の非接触ＩＣタグ付き無線綴じ本。
【請求項８】
形成された非接触ＩＣタグが表紙用紙に印刷した非ループ状アンテナパターンにＩＣチップ実装ラベルを装着したものであることを特徴とする請求項１から請求項５のいずれか１の請求項に記載の非接触ＩＣタグ付き無線綴じ本。
【請求項９】
非接触ＩＣタグ付き無線綴じ本の製造方法であって、
▲１▼雑誌・書籍の表紙用紙にラベル状非接触ＩＣタグを貼着する工程、
▲２▼表紙用紙のラベル状非接触ＩＣタグが貼着された面の小口部分にホットメルト接着剤を塗工し、無線綴じされた丁合本の背部と見返し部を接着することにより、外観からは非接触ＩＣタグが見えなくする工程、
を有することを特徴とする非接触ＩＣタグ付き無線綴じ本の製造方法。
【請求項１０】
非接触ＩＣタグ付き無線綴じ本の製造方法であって、
▲１▼表紙用紙の非接触ＩＣタグ貼着部と小口部分にホットメルト接着剤を塗工する工程、
▲２▼表紙用紙のホットメルト接着剤塗工面にラベル状非接触ＩＣタグを貼着すると同時に無線綴じされた丁合本の背部と見返し部を接着することにより、外観からは非接触ＩＣタグが見えなくする工程、
を有することを特徴とする非接触ＩＣタグ付き無線綴じ本の製造方法。
【請求項１１】
保持する非接触ＩＣタグが基材に形成したコイル状アンテナにＩＣチップを装着したものであることを特徴とする請求項９または請求項１０記載の非接触ＩＣタグ付き無線綴じ本の製造方法。
【請求項１２】
非接触ＩＣタグが基材に形成した非ループ状アンテナパターンにＩＣチップ実装ラベルを装着したものであることを特徴とする請求項９または請求項１０記載の非接触ＩＣタグ付き無線綴じ本の製造方法。
【請求項１３】
非接触ＩＣタグ付き無線綴じ本の製造方法であって、
▲１▼雑誌・書籍の表紙用紙にアンテナパターンを導電性インキで印刷する工程、
▲２▼前記アンテナパターンにＩＣチップ実装ラベルを装着する工程、
▲３▼表紙用紙のアンテナパターンが印刷された面の小口部分にホットメルト接着剤を塗工する工程、
▲４▼無線綴じされた丁合本に表紙用紙を貼着する際に、前記塗工したホットメルト接着剤により見返しと接着し、外観からは非接触ＩＣタグを見えなくする工程、
を有することを特徴とする非接触ＩＣタグ付き無線綴じ本の製造方法。
【発明の詳細な説明】
【０００１】
【発明の属する技術分野】
本発明は、非接触ＩＣタグ付き無線綴じ本とその製造方法に関する。特に、無線綴じ本において、外観からは視認できない状態に非接触ＩＣタグを取り付けた書籍・雑誌とその製造方法に関する。
従って、本発明の利用分野は、書籍・雑誌の製造や出版の分野に関する。
【０００２】
【従来技術】
近年、バーコードに代えて非接触で情報の読み出し及び書き込みが可能な非接触ＩＣタグ（ＲＦＩＤタグ、無線タグ、ＩＣタグ、非接触ＩＣ等と表現することもあるが本明細書では総称して、「非接触ＩＣタグ」とする。）を商品に付して市場で必要な様々な情報の管理を可能にすることが提案されている。
書籍・雑誌においても非接触ＩＣタグを取り付けて、万引き防止機能を付与するのみならず、それらの流通や在庫・販売時点においても必要な様々な情報管理をすることが考えられている。
そのため、書籍・雑誌の販売段階でＩＣタグを取り付ける煩を避け、印刷または製本の工程で非接触ＩＣタグを取り付けることが必要とされる。
【０００３】
また、書籍・雑誌においては、非接触ＩＣタグが書籍の外部に付されている場合は、顧客や利用者の目につき、不快感を与えるという不都合がある。
特許文献１は、所定周波数の電磁波に共振して電磁波を発信すると共に動作の停止が可能な回路を有するタグが、書籍本体の表紙内部または背部内側の外側から見えない位置に書籍本体と一体に設けられてなる盗難防止機能付き書籍を提案している。
しかし、かかる書籍は盗難防止にはある程度機能するとしても、書籍に関する情報を記憶することができないので、書籍・雑誌の情報管理や販売管理等に役立てることができない。
【０００４】
特許文献２は、表紙や表紙背部の内面に、磁性体からなるシート状タグが貼着されている盗難防止機能付き本を提案している。
しかし、同公報において表紙に貼着する場合は、単に表紙の内面側に貼着するだけであるので表紙を開けばシート状タグが見えてしまう問題がある。また、背表紙の狭い幅内に貼着する場合は、外部からは見えないかも知れないが、タグの形状が一定のものに限られ、通信距離を大きく確保する非接触ＩＣタグの貼着には不十分な面積である。
特許文献３は、背表紙の内側にＩＣタグをホットメルトにより接着することを提案している。しかし、非接触ＩＣタグの形状が大きい場合は、背表紙の内側に納めることはやはり困難である。
【０００５】
【特許文献１】実用新案登録第２５６６１８１号
【特許文献２】特開平５−２７０１７０号公報
【特許文献３】特開２００２−３２６４７４号公報
【０００６】
【発明が解決しようとする課題】
そこで、本発明では書籍・雑誌に関する情報の記録および読み出しが可能な非接触ＩＣタグを、外観からは視認不可能な状態に取り付けすることを研究して本発明の完成に至ったものである。
【０００７】
【課題を解決するための手段】
上記課題を解決するための本発明の要旨の第１は、添付される本の当該本に関する情報を記憶し、所定周波数の電波により外部リーダライタと交信する非接触ＩＣタグ付き無線綴じ本において、当該非接触ＩＣタグが表紙の内面側に保持または形成されており、さらに外部から視認できないように、表紙の内面と見返し間を貼着したことを特徴とする非接触ＩＣタグ付き無線綴じ本、にある。
【０００８】
上記課題を解決するための本発明の要旨の第２は、添付される本の当該本に関する情報を記憶し、所定周波数の電波により外部リーダライタと交信する非接触ＩＣタグ付き無線綴じ本において、当該非接触ＩＣタグが表紙と背表紙にわたる部分の内面側に保持または形成されており、さらに外部から視認できないように、表紙の内面側と見返し間を貼着したことを特徴とする非接触ＩＣタグ付き無線綴じ本、にある。
【０００９】
上記課題を解決するための本発明の要旨の第３は、添付される本の当該本に関する情報を記憶し、所定周波数の電波により外部リーダライタと交信する非接触ＩＣタグ付き無線綴じ本において、当該非接触ＩＣタグが表紙と背表紙と裏表紙にわたる部分の内面側に保持または形成されており、さらに外部から視認できないように、表紙と裏表紙の内面側と見返し間を貼着したことを特徴とする非接触ＩＣタグ付き無線綴じ本、にある。
【００１０】
上記課題を解決するための本発明の要旨の第４は、添付される本の当該本に関する情報を記憶し、所定周波数の電波により外部リーダライタと交信する非接触ＩＣタグ付き無線綴じ本において、当該非接触ＩＣタグが背表紙と裏表紙にわたる部分の内面側に保持または形成されており、さらに外部から視認できないように、裏表紙の内面側と見返し間を貼着したことを特徴とする非接触ＩＣタグ付き無線綴じ本、にある。
【００１１】
上記課題を解決するための本発明の要旨の第５は、添付される本の当該本に関する情報を記憶し、所定周波数の電波により外部リーダライタと交信する非接触ＩＣタグ付き無線綴じ本において、当該非接触ＩＣタグが裏表紙の内面側に保持または形成されており、さらに外部から視認できないように、裏表紙の内面と見返し間を貼着したことを特徴とする非接触ＩＣタグ付き無線綴じ本、にある。
【００１２】
上記無線綴じ本において、保持する非接触ＩＣタグが基材に形成したコイル状アンテナにＩＣチップを装着したもの、または、基材に形成した非ループ状アンテナパターンにＩＣチップ実装ラベルを装着したもの、とすることができる。
また、形成された非接触ＩＣタグが表紙用紙に印刷した非ループ状アンテナパターンにＩＣチップ実装ラベルを装着したもの、としてもよい。
【００１３】
上記課題を解決するための本発明の要旨の第６は、非接触ＩＣタグ付き無線綴じ本の製造方法であって、▲１▼雑誌・書籍の表紙用紙にラベル状非接触ＩＣタグを貼着する工程、▲２▼表紙用紙のラベル状非接触ＩＣタグが貼着された面の小口部分にホットメルト接着剤を塗工し、無線綴じされた丁合本の背部と見返し部を接着することにより、外観からは非接触ＩＣタグが見えなくする工程、を有することを特徴とする非接触ＩＣタグ付き無線綴じ本の製造方法、にある。
【００１４】
上記課題を解決するための本発明の要旨の第７は、非接触ＩＣタグ付き無線綴じ本の製造方法であって、▲１▼表紙用紙の非接触ＩＣタグ貼着部と小口部分にホットメルト接着剤を塗工する工程、▲２▼表紙用紙のホットメルト接着剤塗工面にラベル状非接触ＩＣタグを貼着すると同時に無線綴じされた丁合本の背部と見返し部を接着することにより、外観からは非接触ＩＣタグが見えなくする工程、を有することを特徴とする非接触ＩＣタグ付き無線綴じ本の製造方法、にある。
上記製造方法において、保持する非接触ＩＣタグが基材に形成したコイル状アンテナにＩＣチップを装着したもの、または、基材に形成した非ループ状アンテナパターンにＩＣチップ実装ラベルを装着したもの、とすることができる。
【００１５】
上記課題を解決するための本発明の要旨の第８は、非接触ＩＣタグ付き無線綴じ本の製造方法であって、▲１▼雑誌・書籍の表紙用紙にアンテナパターンを導電性インキで印刷する工程、▲２▼前記アンテナパターンにＩＣチップ実装ラベルを装着する工程、▲３▼表紙用紙のアンテナパターンが印刷された面の小口部分にホットメルト接着剤を塗工する工程、▲４▼無線綴じされた丁合本に表紙用紙を貼着する際に、前記塗工したホットメルト接着剤により見返しと接着し、外観からは非接触ＩＣタグを見えなくする工程、を有することを特徴とする非接触ＩＣタグ付き無線綴じ本の製造方法、にある。
【００１６】
【発明の実施の形態】
図１は、非接触ＩＣタグを表紙内面に保持させた非接触ＩＣタグ付き無線綴じ本の外観図、図２は、非接触ＩＣタグを表紙と背表紙と裏表紙の内面にわたって形成した非接触ＩＣタグ付き無線綴じ本の外観図、である。
図３は、非接触ＩＣタグを表紙用紙に保持させた各種の実施形態を示す図、図４は、非接触ＩＣタグを表紙用紙に形成した各種の実施形態を示す図、である。
図５は、無線綴じ本の製造工程を示す図、図６は、誘導結合型アンテナを有するラベル状非接触ＩＣタグの例を示す図、図７は、静電結合型アンテナを有するラベル状非接触ＩＣタグの例を示す図、である。
【００１７】
非接触ＩＣタグを無線綴じ本に保持させた実施形態の例は、図１のようになる。この場合はラベル状誘導結合型アンテナ２ｂを有するラベル状非接触ＩＣタグ２を使用している。
非接触ＩＣタグ２は、アンテナコイル２ｂを基材２ｆ面に形成し、当該アンテナコイル２ｂにＩＣチップ２ａを装着した形態からなるので、無線綴じ本１に保持させる場合は、基材２ｆの背面に粘着剤を付与したり、逆に表紙４ａの内面側にホットメルト接着剤を塗布して表紙用紙に貼着する。
【００１８】
図１の場合、非接触ＩＣタグ２は表紙用紙の表紙４ａの内面に貼着されていて、見返し６は一部破断状態で図示されている。見返し６は小口側周囲を表紙４ａの内面に接着しているので、非接触ＩＣタグ２は外観からは視認できないようになっている。図１の実施形態では、裏表紙４ｃには非接触ＩＣタグは現われないので、裏表紙４ｃの内面と見返しを接着しなくても良い。
なお、上製本では表紙と折丁の間に比較的に強度のある紙の見返しを使用するが、折丁の場合は見返しに相当する紙面を有していない。そこで、本発明では折丁の表紙に面する側の用紙を見返しと表現している。
非接触ＩＣタグ２はラベル状誘導結合型アンテナのものではなく、図７図示のように基材２ｆに非ループ状アンテナパターン２ｃ，２ｄを形成し、これにＩＣチップ実装ラベル３を装着した静電結合型アンテナのものであっても良い。
【００１９】
静電結合型の非ループ状アンテナパターンを有する非接触ＩＣタグを無線綴じ本に形成した例は、図２のようになる。実際は、アンテナパターン２ｃ，２ｄは表紙用紙４の内面に形成されているので、書籍・雑誌の背面からは見えないから透視した状態を示すものである。
この非接触ＩＣタグ２は、アンテナパターン２ｃ，２ｄを表紙用紙４に形成し、当該アンテナパターン２ｃ，２ｄにＩＣチップ実装ラベル３を装着した形態からなる。無線綴じ本に保持させる場合は、表紙用紙４に導電性インキでアンテナパターン２ｃ，２ｄを印刷等してから、ＩＣチップ実装ラベル３を装着する。
表紙用紙４の表紙４ａと背表紙４ｂと裏表紙４ｃの内面にアンテナパターンが印刷されていて、アンテナパターン２ｃと２ｄが接近する位置にＩＣチップ実装ラベル３を装着する。
【００２０】
ＩＣチップ実装ラベル３にも小型のアンテナパターン（不図示）が印刷されていて、当該小型のアンテナパターンを介してアンテナパターン２ｃと２ｄがＩＣチップ実装ラベル３のＩＣチップの両パッドに導通するようにされている。
この場合も見返し６と表紙または裏表紙との間は接着されているので、非接触ＩＣタグ２は外からは見えないようになっている。
【００２１】
本発明の非接触ＩＣタグ付き無線綴じ本は、上記のように外観からはＩＣタグの存在を視認することができないので、書籍の内容を確認したり購入する際の購入者に不安感や不快感を与えることがない。また、非接触ＩＣタグが盗難防止に用いられる場合に、警報機が動作しないように非接触ＩＣタグを悪意で剥離してしまうような行為を防止する上にも有効となる。
非接触ＩＣタグを表紙用紙に外部から視認できないように、保持させたり形成する方法は、上記以外に各種の方法があるので、以下、順次説明する。
【００２２】
図３は、誘導結合型アンテナを有するラベル状非接触ＩＣタグ２を表紙用紙４に保持させた各種実施形態を示している。図３（Ａ）は、図１のように表紙４ａ内面に貼着した場合、図３（Ｂ）は、表紙４ａと背表紙４ｂと裏表紙４ｃにわたる部分の内面に貼着した場合、図３（Ｃ）は、裏表紙４ｃの内面に貼着した場合、を示している。
図示していないが、表紙４ａと背表紙４ｂにわたるようにしたり、背表紙４ｂと裏表紙４ｃにわたるようにして貼着することもできる。
【００２３】
実用的な通信距離を確保できる非接触ＩＣタグラベル２の大きさは、矩形状のエッチングコイルの場合で、アンテナコイル２ｂの外形が、７６ｍｍ×４５ｍｍ程度となる。この大きさであれば、表紙や裏表紙の面積内に十分貼着できるが、サイズの小さい本の場合や、見返しと表紙内面の全面接着を避けたいような場合は背表紙を利用する必要が生じる。
ラベル化された非接触ＩＣタグ２は柔軟な基材に耐折り曲げ性のアンテナコイル２ｂが形成されているので、屈曲面や折り曲げ面に貼着しても機能を損なうことはない。
【００２４】
図４は、静電結合型アンテナパターンを表紙用紙４に形成した非接触ＩＣタグ２の各種実施形態を示している。静電結合型の場合は、図示のような非ループ状のアンテナになる。
図４（Ａ）は、表紙４ａの内面に形成した場合でアンテナパターン２ｃ，２ｄ間にＩＣチップ実装ラベル３が貼着されている。図４（Ｂ）は、表紙４ａと背表紙４ｂにわたる部分の内面に形成した場合、図４（Ｃ）は、表紙４ａと背表紙４ｂと裏表紙４ｃにわたる部分の内面に形成した場合、図４（Ｄ）は、背表紙４ｂと裏表紙４ｃにわたる部分の内面に形成した場合、図４（Ｅ）は、裏表紙４ｃの内面に形成した場合、をそれぞれ示している。
なお、図４のようなアンテナパターン２ｃ，２ｄを印刷し、ＩＣチップ実装ラベル３を貼着した非接触ＩＣタグ付き表紙用紙４は、無線綴じ本に限らず中綴じ本等にも利用可能なものである。
【００２５】
通常、アンテナパターン２ｃ，２ｄは２片の左右対象のパターンに形成されることが多いが、これに限定されるものではない。良く知られるように、２片のアンテナパターンの一方側パターンが人体等を通じて接地側になり、他方側が電波（誘導電波）受信機能側としてはたらくときに最良の通信状態になり、双方のパターンに人手が触れている場合は特に通信機能が低下すると言われる。
したがって、人手に触れやすい側（直接接触しなくても接近する側）を接地側にし、双方のパターンが同時に人手に触れないようにするのが好ましい。
書籍・雑誌の場合、通常は、背表紙側を手にすることが多く、背側から６ｃｍ〜８ｃｍ以内の接触が特に多いと考えられる。
【００２６】
一方、人手に触れていない場合の通信状態も考慮する必要があり、例えば書棚に置いてある状態で本をハンディーリーダライタ等で検索する場合は、書籍の底面（地）側が接地側になっていることが多く、書籍の販売や図書館での貸し出し時点での読み取りでは、装置に接触する裏表紙側が接地側になり易い。
そうすると、人の手に触れ易い背側と本の地側小口が導体アンテナパターンとなっているのが有利と考えられる。
図４は、以上の条件を考慮し背側と地側が人手や器物に触れ易い形状にしたアンテナパターンであるが、特にこれに限定されるものでもない。
【００２７】
従来の針金状の磁気タグや共振タグの場合は、それ自体あまり大きなサイズではないので背表紙のような狭い面積内に貼着できるが、非接触ＩＣタグで通信距離を大きく取る場合はアンテナサイズも大きくなる。上記のような実施形態にすることで、非接触ＩＣタグサイズの制約が緩和される。
ラベル型の非接触ＩＣタグ２は、ホットメルト接着剤等により表紙用紙４面に保持されるが、その後、外観からは非接触ＩＣタグ２が視認できないように見返し６を貼着する。
【００２８】
静電結合型アンテナパターンの非接触ＩＣタグは、前記のように、あらかじめラベル状基材に導電性インキでアンテナパターンを印刷し、当該アンテナパターン間にＩＣチップ実装ラベル３を装着したものであっても良い（図７）。
この場合は、ラベル状の誘導結合型非接触ＩＣタグと同様に、基材の下面に粘着剤を塗工して、表紙内面にラベラーで貼着して保持させることになる。
一般に、導電性インキは印刷する基材の種類によってパターンの抵抗値が大きく変動する。例えば、コート紙と上質紙では同じ条件で印刷しても同一の抵抗値にはならない。従って、各種の紙基材に印刷する場合は安定した通信能力を確保できなくなり易い。その意味では、プラスチック等の一定の基材に印刷したラベル状のものが好ましいことになる。
【００２９】
誘導結合型アンテナを有する非接触ＩＣタグの例は、図６のようになる。
非接触ＩＣタグ２は、図６のように、アンテナコイル２ｂにＩＣチップ２ａを装着している。基材２ｆには、厚み１５〜１００μｍ程度のポリエチレンテレフタレート（ＰＥＴ）フィルム等を使用する。
アンテナコイル２ｂは、基材２ｆにラミネートしたアルミ箔（厚み１０〜５０μｍ）をフォトエッチングして形成している。これにアンテナ面の保護フィルムを貼り合わせし、さらに粘着剤加工を施したラベル状のものが市販されている。
図示のもののアンテナサイズは、外形Ｈが７６ｍｍ、Ｗが４５ｍｍであり、コイル部分は幅約１ｍｍで６回巻きにされている。符号２ｋは、基材２ｆの背面を通じてコイルを導通させるための部材を示している。
アンテナコイル２ｂは、導電性インキによるプリント配線でも良く、また銅箔や金属捲線を使用するものでも良い。
【００３０】
通信周波数は、１３．５６ＭＨｚ（ＩＳＯ１５６９３準拠）、１２５ｋＨｚ（中波）、２．４５ＧＨｚ（マイクロ波）、等であるが、近年、非接触ＩＣカードと兼用できる１３．５６ＭＨｚが用いられることが多い。
従来、１３．５６ＭＨｚにおける非接触ＩＣタグ用リーダライタ（無届けで使用できるもの）の出力は１Ｗ以下に制限されていたので、通信距離は２０ｃｍ程度のものであったが、平成１４年９月の電波法施行規則改正で制限条件が緩和された。これにより、５０〜７０ｃｍ、条件の良い場合は１ｍ程度の検知が可能になり、盗難防止ゲートや書棚検索でも効果的に使用できるようになっている。
【００３１】
次に、非接触ＩＣタグ付き無線綴じ本の製造方法について説明する。非接触ＩＣタグ付き無線綴じ本の製造工程の例は、図５のようになる。
無線綴じした丁合本は通常の書籍・雑誌の工程により準備しておく。工程１では、表紙用紙４にラベル状の非接触ＩＣタグ２の接着を行う（図５（Ａ））が、次工程のホットメルト接着剤塗布後に一緒に貼り付けても良い。
工程２では、表紙用紙４の非接触ＩＣタグ２接着した側の小口に、ホットメルト接着剤８をホットメルトガン７の吹き付けにより行う（図５（Ｂ））。
丁合本５は搬送ベルト上に送られて表紙用紙４の取り付け工程に移動する。
【００３２】
工程３では、通常のくるみ工程により表紙用紙４と丁合本５の接着を行うと同時に、見返し６と表紙用紙４を前記ホットメルト接着剤８により接着する（図５（Ｃ））。ホットメルトは加熱によって溶融すれば液状となり、塗布後の放冷によって短時間で固化する。したがって塗布後ある程度の接着強度の出現までの時間を短くすることができる。背表紙の接着も丁合本にホットメルトを用いて接着し、その後直ちに仕上げ裁ちできる利点がある。
天地断裁、小口断裁の三方裁断工程を行って非接触ＩＣタグ付き無線綴じ本が完成する。上製本の場合は、仮固めの済んだ本の中身に対して仕上げ裁ち、次いで丸み出しおよびバッキング処理等を施してから背に膠を塗布し、最初に寒冷紗を貼った後、再度膠を塗布し背紙などを貼って接着させても良い。
【００３３】
ＩＣチップ実装ラベルを用いる場合は、図４のように表紙用紙４にアンテナパターン２ｃ，２ｄを予め印刷しておく。これは、導電性カーボンインキやアルミ粉等による導電性インキで印刷したり、導電性ホットメルト接着剤による塗布パターンであってもよい。当該アンテナパターンの双方のアンテナパターン２ｃ，２ｄの接近位置に、ＩＣチップ実装ラベル３を装着する。ＩＣチップ実装ラベルには、モトローラ社の「Ｂｉｓｔａｔｉｘ」（商標）等を使用できる。
なお、「Ｂｉｓｔａｔｉｘ」の場合の周波数は、１２５ｋＨｚを使用する。
メモリ容量が１ｋｂｉｔ（１２８バイト）のもので、半角文字約１００字の記録が可能である。
【００３４】
非接触ＩＣタグには、その本の書店への納入日等を入力しておき、書店から返本があったときにいつ納入したものかを知ることより、古い在庫品の不正返本を防止することができる。また、書店のコード番号を入力しておき、万引き事件がおきた際に、当人が書店に入る前に所持していたものであると主張しているときに、その本がその書店にあったものであることを証明することもできる。
非接触ＩＣタグ付き本をもって書店出口をでるときに警報が発せられるようにする場合には、販売した本に対しては、レジで非接触ＩＣタグに入力した書店コード等を消去するような処理をして警報が発せられないようにする等のシステム構築が必要となる。
【００３５】
【実施例】
（実施例１）
図１、図３、図５、図６等を参照して実施例１を説明する。
コート紙７０ｇ／ｍ２  にオフセット輪転で印刷し、Ａ６版３８４ページ（折丁１２冊）を無線綴じした丁合本５を準備した。丁合本５は２４ｍｍ程度の厚みになった。
別に、表紙用紙４にトップコート紙（１２８ｇ／ｍ２  ）を使用してオフセット輪転印刷をした。この表紙４ａの内面側に、図６図示のような、ラベル状非接触ＩＣタグ（大日本印刷株式会社製「Ａｃｃｕｗａｖｅ」（商標））を粘着剤により貼着した（図１、図３（Ａ））。この非接触ＩＣタグ２はアンテナサイズ７６×４５ｍｍの誘導結合型のものである。
【００３６】
ホットメルト接着剤を使用し丁合本５に表紙用紙４を貼り付ける際に、ホットメルトガン７を使用して、非接触ＩＣタグ２を貼着した表紙４ａ内面の小口側にホットメルト接着剤８を２〜３ｍｍの吹き付け幅で塗布した後、丁合本５の見返し６と表紙４ａを貼り合わせるようにした。
最後に三方仕上げ裁ちして非接触ＩＣタグ付き雑誌を完成した。
この非接触ＩＣタグ付き無線綴じ本１に対して、小型ハンディ型リーダライタ（松下産業機器株式会社製）で書き込み、読み取り試験を行ったところ、リーダライタから２０ｃｍの距離で支障なく交信することが確認できた。
【００３７】
（実施例２）
図２、図４等を参照して実施例２を説明する。
コート紙７０ｇ／ｍ２  にオフセット輪転で印刷し、Ａ６版３８４ページ（折丁１２冊）を無線綴じした丁合本５を準備した。丁合本５は２４ｍｍ程度の厚みになった。
別に、表紙用紙４にトップコート紙（１２８ｇ／ｍ２  ）を使用してオフセット輪転印刷をした。この表紙用紙４の表紙と背表紙と裏表紙にかけて図２のようなアンテナパターン２ｃ，２ｄを導電性カーボンインキで印刷した。
このアンテナパターン２ｃ，２ｄの接近する幅１０ｍｍの間隔部に、大きさが１６ｍｍ×１６ｍｍのＩＣチップ実装ラベル（モトローラ社「ＢｉＳｔａｔｉｘ」（商標））３を貼着した。なお、ＩＣチップ実装ラベル３のアンテナパターンがアンテナパターン２ｃ，２ｄに接するようにした。
【００３８】
ホットメルト接着剤を使用し丁合本５に表紙用紙４を貼り付ける際に、ホットメルトガン７を使用して、ＩＣチップ実装ラベル３を貼着した表紙４ａ内面の小口側にホットメルト接着剤８を２〜３ｍｍの吹き付け幅で塗布した後、丁合本５の見返し６と表紙４ａ、裏表紙４ｃを貼り合わせるようにした。
最後に三方仕上げ裁ちして非接触ＩＣタグ付き雑誌を完成した。
この非接触ＩＣタグ付き無線綴じ本１に対して、リーダライタ（モトローラ社「ＷＡＶＥ」）で書き込み読み取り試験を行ったところ、リーダライタから１０ｃｍの距離で支障なく交信することが確認できた。
【００３９】
【発明の効果】
以上詳しく説明したように本発明によれば以下の効果が得られる。
本発明の非接触ＩＣタグ付き無線綴じ本は、非接触ＩＣタグが外観からは視認できないように取り付けられているので、書籍・雑誌を購入する際の顧客に監視されているような不安感や不快感を与えることがない。
また、非接触ＩＣタグ付き本は、書籍や雑誌の流通や在庫管理を容易にし、販売時点の決済や情報管理にも有用となる。
また、本発明の非接触ＩＣタグ付き無線綴じ本の製造方法によれば、既存の設備を利用して無線綴じ本を簡易な工程で製造できる。
【図面の簡単な説明】
【図１】非接触ＩＣタグを表紙の内面に保持させた非接触ＩＣタグ付き無線綴じ本の外観図である。
【図２】非接触ＩＣタグを表紙と背表紙と裏表紙の内面にわたって形成した非接触ＩＣタグ付き無線綴じ本の外観図である。
【図３】非接触ＩＣタグを表紙用紙に保持させた各種の実施形態を示す図である。
【図４】非接触ＩＣタグを表紙用紙に形成した各種の実施形態を示す図である。
【図５】無線綴じ本の製造工程の例を示す図である。
【図６】誘導結合型アンテナを有するラベル状非接触ＩＣタグの例を示す図である。
【図７】静電結合型アンテナを有するラベル状非接触ＩＣタグの例を示す図である。
【符号の説明】
１    非接触ＩＣタグ付き無線綴じ本
２    非接触ＩＣタグ
２ａ  ＩＣチップ
２ｂ  アンテナコイル
２ｃ，２ｄ  アンテナパターン
３    ＩＣチップ実装ラベル
４    表紙用紙
４ａ  表紙
４ｂ  背表紙
４ｃ  裏表紙
５    丁合本
６    見返し
７    ホットメルトガン
８    ホットメルト接着剤
【図１】
2004249492.tif 000003
【図２】
2004249492.tif 000004
【図３】
2004249492.tif 000005
【図４】
2004249492.tif 000006
【図５】
2004249492.tif 000007
【図６】
2004249492.tif 000008
【図７】
2004249492.tif 000009